(57)【要約】【課題】放射光の照射が効率的であり、かつ温度上昇が低減される発光ダイオードを有する電球形蛍光ランプおよびこの電球形蛍光ランプを装着する照明器具を提供する。【解決手段】電球形蛍光ランプ１は、屈曲形のバルブ８を有する蛍光ランプ２と、口金１６を有し、蛍光ランプ２を配置している基体３と、基体３から最も突出している前記バルブ８の部位６ａ１，６ｂ１，６ｃ１の断面中心Ｃよりも外方に先端部４ａが位置するように配置された発光ダイオード４と、基体３内に収容され、蛍光ランプ２および発光ダイオード４をそれぞれ個別に点灯可能な点灯回路５とを具備している。【選択図】図１
2007165272.tif 000002
【特許請求の範囲】
【請求項１】
両端部に一対の電極が封装された屈曲形のバルブを有する蛍光ランプと；
電球用ソケットに装着可能な口金を有し、蛍光ランプを配置している基体と；
基体から最も突出している前記バルブの部位の断面中心よりも外方に先端部が位置するように配置された発光ダイオードと；
基体内に収容され、蛍光ランプおよび発光ダイオードをそれぞれ個別に点灯可能な点灯回路と；
を具備していることを特徴とする電球形蛍光ランプ。
【請求項２】
発光ダイオードの先端部が前記バルブの頂部から突出していないことを特徴とする請求項１記載の電球形蛍光ランプ。
【請求項３】
発光ダイオードの先端部が前記バルブの頂部から突出していることを特徴とする請求項１記載の電球形蛍光ランプ。
【請求項４】
蛍光ランプおよび発光ダイオードを内包するようにして基体に取り付けられた透光性のグローブと；
を具備し、発光ダイオードの先端部がグローブの内面に熱伝導性材料により固着されていることを特徴とする請求項１ないし３いずれか一記載の電球形蛍光ランプ。
【請求項５】
蛍光ランプは、前記バルブがヘリカル状に屈曲されていることを特徴とする請求項１ないし４いずれか一記載の電球形蛍光ランプ。
【請求項６】
請求項１ないし５いずれか一記載の電球形蛍光ランプと；
この電球形蛍光ランプが装着される電球用ソケットを配設している器具本体と；
を具備していることを特徴とする照明器具。
【発明の詳細な説明】
【技術分野】
【０００１】
本発明は、発光ダイオードを具備する電球形蛍光ランプおよびこの電球形蛍光ランプを装着している照明器具に関する。
【背景技術】
【０００２】
特許文献１に記載されている電球形蛍光ランプは、例えば発光ダイオードがナイトライト（常夜灯）として用いられ、蛍光ランプが通常光源として用いられている。それらの切り換えは、例えば電源のオンオフの変化で行われている。
【０００３】
そして、当該電球形蛍光ランプは、発光ダイオードが蛍光ランプと外部バルブとの間の空間中に配置されていると記載され、具体的には、蛍光ランプの端部側を囲むように２個または４個の発光ダイオードが配置されている。すなわち、１個の発光ダイオードから放射される光の一部は、蛍光ランプにより遮られるので、複数の発光ダイオードを用いて発光ダイオードの放射光を電球形蛍光ランプの前方および周回方向に出射させている。
【特許文献１】特表２００４−５３８６０１号公報（第４−５頁、第１図）
【発明の開示】
【発明が解決しようとする課題】
【０００４】
特許文献１の電球形蛍光ランプは、複数の発光ダイオードが配置され、各々の発光ダイオードの放射光の一部が蛍光ランプにより遮られるので、発光ダイオードの照射効率が低下するという欠点を有する。
【０００５】
また、発光ダイオードは、蛍光ランプが取り付けられている基板側に配置するので、蛍光ランプの電極に近く、蛍光ランプの点灯時または消灯直後に自身が点灯（発光）すると、当該電極からの熱が加わることにより温度上昇が大きくなって、使用寿命が短くなるおそれがあるという欠点を有する。あるいは、当該温度上昇により、発光ダイオードの発光効率が低下するという欠点を有する。
【０００６】
特許文献１は、発光ダイオードが蛍光ランプと外部バルブとの間の空間中に配置されていると記載されているが、上述したように、発光ダイオードを蛍光ランプが取り付けられている基板側に配置する以外、特に言及されていない。
【０００７】
本発明は、放射光の照射が効率的であり、かつ温度上昇が低減される発光ダイオードを有する電球形蛍光ランプおよびこの電球形蛍光ランプを装着する照明器具を提供することを目的とする。
【課題を解決するための手段】
【０００８】
請求項１に記載の電球形蛍光ランプの発明は、両端部に一対の電極が封装された屈曲形のバルブを有する蛍光ランプと；電球用ソケットに装着可能な口金を有し、蛍光ランプを配置している基体と；基体から最も突出している前記バルブの部位の断面中心よりも外方に先端部が位置するように配置された発光ダイオードと；基体内に収容され、蛍光ランプおよび発光ダイオードをそれぞれ個別に点灯可能な点灯回路と；を具備していることを特徴とする。
【０００９】
本発明および以下の各発明において、特に言及しない限り、各構成は以下による。
【００１０】
屈曲形のバルブは、直管状のバルブを加熱、軟化させて折曲したものの他、管状のバルブ同士を端部で継いで連通させたブリッジ形あるいはブリッジ後にモールド形で形成したバルブも包含される。
【００１１】
「バルブの部位の断面中心」とは、バルブの部位をバルブの突出方向で切断したときの断面の中心を意味する。
【００１２】
点灯回路は、蛍光ランプおよび発光ダイオードを一方が点灯のとき他方を消灯させるように構成されてもよく、これに加えて、同時に点灯させるように構成されてもよい。
【００１３】
本発明によれば、発光ダイオードの先端部が基体から最も突出しているバルブの部位の断面中心よりも外方に位置することにより、発光ダイオードからの放射光がバルブに遮られにくく外方に放射される。また、発光ダイオードは、蛍光ランプの一対の電極より略バルブの突出分離間する位置に配置されるので、蛍光ランプの消灯直後の電極からの熱影響が小さく、蛍光ランプの消灯直後に自身が点灯しても自身の温度上昇が低減される。
【００１４】
請求項２に記載の電球形蛍光ランプの発明は、請求項１記載の電球形蛍光ランプにおいて、発光ダイオードの先端部が前記バルブの頂部から突出していないことを特徴とする。
【００１５】
本発明によれば、発光ダイオードの先端部が基体から最も突出しているバルブの部位の断面中心とバルブの頂部の間に位置するので、発光ダイオードは、蛍光ランプの突出方向に蛍光ランプよりも突出していなく、見栄えや意匠性が向上する。
【００１６】
請求項３に記載の電球形蛍光ランプの発明は、請求項１記載の電球形蛍光ランプにおいて、発光ダイオードの先端部が前記バルブの頂部から突出していることを特徴とする。
【００１７】
バルブの頂部からの発光ダイオードの突出長が大きいと、蛍光ランプおよび発光ダイオードにおける外形が大きくなり、また、見栄えや意匠性が低下するおそれがあるので、当該突出長は、１５ｍｍ以下とするのがよく、好ましくは、５〜１０ｍｍである。あるいは、蛍光ランプが一般照明用電球のグローブ内に収容される外形であるときは、発光ダイオードが当該グローブ内に収容可能な前記突出長であることが好ましい。
【００１８】
本発明によれば、発光ダイオードは、その先端部がバルブの頂部から突出するので、バルブからの放射熱の入射が低減され、かつ自身の熱が外気に放熱されやすくなって、自身の温度上昇が低減される。
【００１９】
請求項４に記載の電球形蛍光ランプの発明は、請求項１ないし３いずれか一記載の電球形蛍光ランプにおいて、蛍光ランプおよび発光ダイオードを内包するようにして基体に取り付けられた透光性のグローブと；を具備し、発光ダイオードの先端部がグローブの内面に熱伝導性材料により固着されていることを特徴とする。
【００２０】
「熱伝導性材料」は、透光性を有することが望ましい。透光性を有することにより、熱伝導性材料による発光ダイオードおよび蛍光ランプからのそれぞれの放射光の損失が低減される。
【００２１】
本発明によれば、発光ダイオードの点灯時、発光ダイオードに発生した熱は、熱伝導性材料に伝熱され、さらに熱伝導性材料から透光性のグローブに伝熱してグローブから放熱される。これにより、発光ダイオードがグローブ内に配置されていても、発光ダイオードの温度上昇が低減される。
【００２２】
請求項５に記載の電球形蛍光ランプの発明は、請求項１ないし４いずれか一記載の電球形蛍光ランプにおいて、蛍光ランプは、前記バルブがヘリカル状に屈曲されていることを特徴とする。
【００２３】
本発明によれば、バルブがヘリカル状に屈曲されているので、一対の電極間の放電路長が長くなって、蛍光ランプから放射される光量が多くなる。
【００２４】
請求項６に記載の照明器具の発明は、請求項１ないし５いずれか一記載の電球形蛍光ランプと；この電球形蛍光ランプが装着される電球用ソケットを配設している器具本体と；を具備していることを特徴とする。
【００２５】
本発明によれば、請求項１ないし５いずれか一記載の電球形蛍光ランプを配設する照明器具が提供される。
【発明の効果】
【００２６】
請求項１の発明によれば、発光ダイオードからの放射光がバルブに遮られにくく外方に放射されるので、発光ダイオードの照射効率が高く、発光ダイオードの設置数を少なくすることができる。また、発光ダイオードの先端部が基体から最も突出しているバルブの部位の断面中心よりも外方に位置して発光ダイオードの温度上昇が低減されるので、発光ダイオードを長寿命にすることができ、少なくとも蛍光ランプが寿命になるまで使用することができる。また、当該温度上昇の低減により、発光ダイオードは、高い発光効率を得ることができる。
【００２７】
請求項２の発明によれば、発光ダイオードは、蛍光ランプの突出方向に蛍光ランプよりも突出しないので、電球形蛍光ランプの外形が大きくなることを防止できるとともに、電球形蛍光ランプの見栄えや意匠性を向上させることができる。
【００２８】
請求項３の発明によれば、発光ダイオードは、先端部がバルブの頂部から突出することにより、自身の温度上昇が低減されるので、樹脂の劣化などを抑制できて長寿命化することができるとともに、発光効率の低下を防止することができる。
【００２９】
請求項４の発明によれば、発光ダイオードの熱がグローブから放熱されて発光ダイオードの温度上昇が低減されるので、発光ダイオードを長寿命化することができるグローブ付きの電球形蛍光ランプを提供することができる。
【００３０】
請求項５の発明によれば、発光ダイオードおよびバルブがヘリカル状に屈曲された蛍光ランプを有して電球形蛍光ランプが構成されるので、通常時、蛍光ランプにより明るく照明することができる。
【００３１】
請求項６の発明によれば、請求項１ないし５いずれか一記載の電球形蛍光ランプを配設する照明器具を提供することができる。
【発明を実施するための最良の形態】
【００３２】
以下、本発明の一実施の形態について、図面を参照して説明する。まず、本発明の第１の実施形態について説明する。
【００３３】
図１および図２は、本発明の第１の実施形態を示し、図１は電球形蛍光ランプの一部バルブを透視した一部切り欠き概略正面図、図２は蛍光ランプおよび発光ダイオードの位置関係図である。
【００３４】
図１において、電球形蛍光ランプ１は、蛍光ランプ２、基体３、発光ダイオード４および点灯回路５を有して構成されている。
【００３５】
蛍光ランプ２は、それぞれＵ字形に屈曲された３本のバルブ６ａ，６ｂ，６ｃが継ぎ部７によって連結された１つの屈曲形のバルブ８を有している。そして、バルブ８は、各バルブ６ａ，６ｂ，６ｃの内面に可視光を発光する蛍光体層９が形成され、内部に水銀および希ガスとしてのアルゴンガスなどの放電媒体が封入されている。
【００３６】
また、バルブ８の両端部に、すなわちバルブ６ａおよびバルブ６ｃのそれぞれの一端部に、一対の電極としてのフィラメント電極１０，１０が封装されている。そして、当該一端部からフィラメント電極１０，１０の両端にそれぞれ接続されている１対のリードワイヤ１１ａ，１１ａ、１２ａ，１２ａが引き出されている。そして、蛍光ランプ２は、図２に示すように、各バルブ６ａ，６ｂ，６ｃのそれぞれの端部が略正六角形の頂角に位置するようにして構成されていて、バルブ６ａ，６ｂ，６ｃのそれぞれの両端部は、ホルダー１３に支持されている。
【００３７】
基体３は、図１中、下方に拡開する基体本体部１４と、この基体本体部１４の上側から略円筒状に延設された口金取付部１５に形成されている。基体３は、ポリブチレンテレフタレート（ＰＢＴ）などの耐熱性を有する合成樹脂によって形成され、口金取付部１５に電球用ソケットに装着可能な口金１６を有し、基体本体部１４の下端側にホルダー１３を接着材などにより固着している。基体３は、基体本体部１４にホルダー１３を介して蛍光ランプ２を配置している。
【００３８】
ホルダー１３は、ポリブチレンテレフタレート（ＰＢＴ）などの耐熱性を有する合成樹脂により有底の略円筒状に形成されている。そして、側壁１７の上端部に回路基板１８を配設している。また、底板１９には、蛍光ランプ２の各バルブ６ａ，６ｂ，６ｃのそれぞれの両端部および後述の柱状体２０を貫通させる図示しない貫通孔がそれぞれ形成されている。各バルブ６ａ，６ｂ，６ｃは、それぞれの両端部が貫通孔に貫通された状態で接着材により底板１９に固着されている。こうして、蛍光ランプ２は、ホルダー１３に支持されている。
【００３９】
そして、口金１６は、Ｅ２６形などのエジソン形の口金を構成しており、基体３の口金取付部１５に被せてポンチしてかしめられている。このとき、点灯回路５と電気的に接続される図示しないリード線（入力線）が口金１６のアイレット１６Ａおよびシェル１６Ｂにそれぞれ接続される。そして、基体３は、基体本体部１４の内部に回路基板１８を収容している。
【００４０】
発光ダイオード４は、例えば白色光を放射する砲弾形に形成され、柱状体２０により基体３に取り付けられている。柱状体２０は、合成樹脂例えばポリブチレンテレフタレート（ＰＢＴ）樹脂、フッ素樹脂や液晶ポリマー（ＬＣＰ）樹脂により円柱状に形成され、一端側２０ａの端面に発光ダイオード４を固着して、発光ダイオード４の電極に接続されているリードワイヤ２１ａ，２１ａを被覆している。
【００４１】
また、柱状体２０は、図２に示すように、他端側２０ｂがホルダー１３の底板１９の中心部に形成された図示しない貫通孔に貫通された状態で接着材により固着され、他端側２０ｂの端面からリードワイヤ２１ａ，２１ａが引き出されている。こうして、柱状体２０は、ホルダー１３に取り付けられ、蛍光ランプ２のバルブ６ａ，６ｂ，６ｃにより包囲されている。そして、柱状体２０の外面は、反射面となっている。リードワイヤ２１ａ，２１ａは、回路基板１８に接続されている。
【００４２】
そして、柱状体２０は、発光ダイオード４が蛍光ランプ２のバルブ６ａ，６ｂ，６ｃの所定の位置に配置されるようにホルダー１３（基体３）からの突出長が設定されている。すなわち、発光ダイオード４は、その先端部４ａが基体３から最も突出しているバルブ６ａ，６ｂ，６ｃの部位（屈曲部）６ａ１，６ｂ１，６ｃ１の断面中心Ｃよりも外方に位置するように配置されている。また、当該先端部４ａが基体３から最も突出しているバルブ６ａ，６ｂ，６ｃの頂部６ａ２，６ｂ２，６ｃ２から突出しないように配置されている。すなわち、発光ダイオード４は、先端部４ａが各バルブ６ａ，６ｂ，６ｃの部位（屈曲部）６ａ１，６ｂ１，６ｃ１側で包囲されるように配置されている。
【００４３】
上記において、蛍光ランプ２の各バルブ６ａ，６ｂ，６ｃは、同一の大きさに形成されているので、３本とも基体３から最も突出しているバルブとなっている。そして、バルブ６ａ，６ｂ，６ｃの部位６ａ１，６ｂ１，６ｃ１の断面中心Ｃは、バルブ６ａ，６ｂ，６ｃの頂部６ａ２，６ｂ２，６ｃ２において、部位６ａ１，６ｂ１，６ｃ１をバルブ６ａ，６ｂ，６ｃの突出方向に切断したときの断面の中心である。また、外方は、部位６ａ１，６ｂ１，６ｃ１の断面中心Ｃからバルブ６ａ，６ｂ，６ｃの突出方向をいう。
【００４４】
発光ダイオード４は、点灯回路５からリードワイヤ２１ａ，２１ａ間に所定の直流電圧が供給されることにより点灯（発光）し、例えば白色光を放射する。
【００４５】
点灯回路５は、蛍光ランプ２を高周波点灯させる高周波点灯回路部（図示しない。）と、発光ダイオード４を点灯（発光）させる直流点灯回路部（図示しない。）と、高周波点灯回路部および直流点灯回路部のいずれかを動作させ、蛍光ランプ２または発光ダイオード４のいずれかを点灯させるように制御する切換回路部（図示しない。）を有して構成されている。切換回路部は、口金１６に印加される電源電圧の再投入の時間に応じて、蛍光ランプ２または発光ダイオード４をそれぞれ個別に点灯させるように制御する。例えば、電源電圧をオフ（停止）してから再び口金１６に電源電圧が印加されるまでに所定時間例えば３秒を超えていると、蛍光ランプ２を点灯させ、所定時間（３秒）以下であると、発光ダイオード４を点灯させる。
【００４６】
点灯回路５の部品は、回路基板１８に実装されている。回路基板１８は、例えばガラスエポキシ樹脂からなり、略円板状に形成されているとともに、一面側（上面側）１８ａが基体３の口金取付部１５側に、他面側（下面側）１８ｂが基体３の基体本体部１４側にそれぞれ対向するようにして、ホルダー１３の側壁１７の上端部に嵌合または接着材などにより固着され、基体３内に収容されている。
【００４７】
また、点灯回路５の部品は、電界効果形トランジスタＱ１等を除いて、大部分が回路基板１８の一面側１８ａに実装されている。回路基板１８の他面側１８ｂは、配線パターンが形成され、部品のリード（端子）が配線パターンに半田付けされる半田面に形成されている。また、他面側１８ｂには、比較的耐熱性が強く、厚さ（高さ）寸法の小さい電界効果形トランジスタＱ１等の部品が実装されている。
【００４８】
次に、本発明の第１の実施形態の作用について述べる。
【００４９】
壁スイッチをオンすると、口金１６に電源電圧が印加され、壁スイッチをオフすると、口金１６に電源電圧が印加されなくなる。口金１６に電源電圧が印加されると、点灯回路５が給電されて動作する。
【００５０】
点灯回路５の切換回路部は、直前に給電されなくなってから所定時間（例えば３秒）内の給電であるか否かを判定する。そして、所定時間を超えていると、高周波点灯回路部を動作させて蛍光ランプ２を高周波点灯させる。
【００５１】
蛍光ランプ２が点灯すると、屈曲形のバルブ８から可視光が放射される。すなわち、フィラメント電極１０，１０間に放電が発生し、放電媒体を構成する水銀蒸気から紫外線が放射される。この紫外線によって蛍光体膜９が励起されて可視光を放射し、各バルブ６ａ，６ｂ，６ｃから外部に放射される。
【００５２】
そして、発光ダイオード４を点灯させるには、壁スイッチを所定時間（３秒）内でオンオフさせる。点灯回路５の切換回路部は、直流点灯回路部を動作させる。これにより、発光ダイオード４が点灯（発光）し、発光ダイオード４から可視光が放射される。発光ダイオード４の点灯は、例えば就寝中や無人エリアの保安用照明として使用し得る。
【００５３】
発光ダイオード４は、柱状体２０により、図１に示すように、先端部４ａが蛍光ランプ２の各バルブ６ａ，６ｂ，６ｃの部位（屈曲部）６ａ１，６ｂ１，６ｃ１の断面中心Ｃよりも外方に位置するように設置され、図２に示すように、バルブ６ａ，６ｂ，６ｃにより包囲された中心に位置している。
【００５４】
そして、断面中心Ｃよりも外方の部位６ａ１，６ｂ１，６ｃ１は、曲面であって拡開し、発光ダイオード４からの放射光は、指向性を有している。これにより、発光ダイオード４から放射された可視光は、バルブ６ａ，６ｂ，６ｃの部位６ａ１，６ｂ１，６ｃ１に遮られにくくバルブ６ａ，６ｂ，６ｃの突出方向の外方に照射される。すなわち、発光ダイオード４の照射効率が非常に高くなっている。この結果、電球形蛍光ランプ１に設置する発光ダイオード４の数量を少なくすることができ、１個でも実用に供することができる。
【００５５】
また、発光ダイオード４は、バルブ６ａ，６ｂ，６ｃの部位６ａ１，６ｂ１，６ｃ１に位置して外部空間に露出しているので、発光ダイオード４の熱は、外気へ放熱しやすい。また、発光ダイオード４は、バルブ６ａ，６ｂ，６ｃにより包囲された中心に位置し、かつ、ほぼ柱状体２０の基体３からの突出長分、フィラメント電極１０，１０と離間しているので、蛍光ランプ２が消灯した直後であってもバルブ６ａ，６ｂ，６ｃやフィラメント電極１０，１０からの熱影響が小さくなる。したがって、蛍光ランプ２を消灯した直後に発光ダイオード４を点灯させても、発光ダイオード４の温度上昇が低減される。これにより、発光ダイオード４が長寿命化される。
【００５６】
そして、蛍光ランプ２が寿命となって電球形蛍光ランプ１を交換するまで、発光ダイオード４は、点灯することができる。また、発光ダイオード４の温度上昇が低減することにより、高耐熱性の高価な発光ダイオード４を用いないで済むので、電球形蛍光ランプ１を安価に形成することができる。
【００５７】
そして、柱状体２０による発光ダイオード４の設置において、発光ダイオード４の先端部４ａがバルブ６ａ，６ｂ，６ｃの頂部６ａ２，６ｂ２，６ｃ２から突出しないことにより、発光ダイオード４および蛍光ランプ２の外形がバルブ６ａ，６ｂ，６ｃの形状によって決定される。したがって、電球形蛍光ランプ１の外形が発光ダイオード４によって大きくなることが防止される。また、発光ダイオード４は、バルブ６ａ，６ｂ，６ｃに包囲されているので、蛍光ランプ２の点灯時の障害にならない。また、電球形蛍光ランプ１の見栄えや意匠性が向上する。
【００５８】
また、柱状体２０の外面は、反射面に形成されているので、バルブ６ａ，６ｂ，６ｃから内方に放射された可視光は、柱状体２０の外面で反射されて、各々のバルブ６ａ，６ｂ，６ｃの間および互いのバルブ６ａ，６ｂ，６ｃの間から外方に出射される。この結果、蛍光ランプ２から外方に放射される光量が多くなり、照明エリアを明るく照明することができる。
【００５９】
次に、本発明の第２の実施形態について説明する。
【００６０】
図３は、本発明の第２の実施形態を示す電球形蛍光ランプの一部バルブを透視した一部切り欠き概略正面図である。なお、図１と同一部分には同一符号を付して説明は省略する。
【００６１】
図３に示す電球形蛍光ランプ２２は、図１に示す電球形蛍光ランプ１において、柱状体２０よりもホルダー１３（基体３）からさらに突出された柱状体２３を有し、発光ダイオード４の先端部４ａを基体３から最も突出しているバルブ６ａ，６ｂ，６ｃの頂部６ａ２，６ｂ２，６ｃ２よりも外方に突出させている。発光ダイオード４の先端部４ａの頂部６ａ２，６ｂ２，６ｃ２からの突出長は、例えば５〜１０ｍｍである。
【００６２】
発光ダイオード４の先端部４ａは、バルブ６ａ，６ｂ，６ｃに包囲されず全周に亘って外気に露出している。これにより、発光ダイオード４の熱は、外気に放熱されやすくなる。また、先端部４ａがバルブ６ａ，６ｂ，６ｃに包囲されないことにより、発光ダイオード４に入射するバルブ６ａ，６ｂ，６ｃからの放射熱の熱量が低減する。これらにより、発光ダイオード４の温度上昇が低減される。
【００６３】
発光ダイオード４は、自身の温度上昇が低減されると、発光色の変化や発光効率の低下が防止され、また、電極を覆う合成樹脂の劣化などが抑制される。この結果、発光ダイオード４は、長寿命になり、蛍光ランプ２が寿命となって電球形蛍光ランプ２２を交換するまで、点灯することができる。
【００６４】
次に、本発明の第３の実施形態について説明する。
【００６５】
図４は、本発明の第３の実施形態を示す電球形蛍光ランプにおける蛍光ランプおよび発光ダイオードの位置関係図である。なお、図２と同一部分には同一符号を付して説明は省略する。
【００６６】
図４に示す蛍光ランプ２４は、それぞれＵ字形に形成された４本のバルブ６ａ，６ｂ，６ｃ，６ｄを有してなり、図１に示す電球形蛍光ランプ１において基体３の基体本体部１４の下端側に設置される。蛍光ランプ２４を具備する電球形蛍光ランプであっても、図１に示す電球形蛍光ランプ１と同様の作用、効果を奏する。
【００６７】
次に、本発明の第４の実施形態について説明する。
【００６８】
図５は、本発明の第４の実施形態を示す電球形蛍光ランプの一部切り欠き概略正面図である。なお、図１と同一部分および同一部分に相当する部分には同一符号を付して説明は省略する。
【００６９】
図５に示す電球形蛍光ランプ２５は、それぞれＵ字形に形成された４本のバルブ６ａ，６ｂ，６ｃ，６ｄを有して蛍光ランプ２６が形成されている。そして、各バルブ６ａ，６ｂ，６ｃ，６ｄのそれぞれの端部が略正八角形の頂角に位置するように継ぎ部７より連結されている。なお、図中、バルブ６ａの一部およびバルブ６ｄは、それぞれ省略している。
【００７０】
そして、一端側２７ａから他端側２７ｂに向かうにしたがい内径が小さくなる略筒状に形成された基体２７を有している。基体２７は、耐熱性の合成樹脂例えばポリブチレンテレフタレート（ＰＢＴ）樹脂により形成されている。
【００７１】
基体２７の一端側２７ａの内面には、有底の略円筒状に形成されたホルダー２８が接着材により固着され、他端側２７ｂの外面には、口金１６が取り付けられている。蛍光ランプ２６の各バルブ６ａ，６ｂ，６ｃ，６ｄのそれぞれの両端部は、ホルダー２８の底面部２８ａに接着材により固着されている。また、ホルダー２８の内部には、回路基板２９が配設され、この回路基板２９の口金１６側の上面に点灯回路５の回路部品が実装されている。
【００７２】
また、ホルダー２８の底面部２８ａの中央部には、略角柱状の柱状体３０の一端側３０ａが接着材により固着されている。柱状体３０は、バルブ６ａ，６ｂ，６ｃ，６ｄで包囲された内部空間の中心に位置し、バルブ６ａ，６ｂ，６ｃ，６ｄの屈曲部６ａ１，６ｂ１，６ｃ１，６ｄ１の位置まで延在している。そして、柱状体３０は、他端側３０ｂの端面に３個の発光ダイオード４を配設している。そして、発光ダイオード４のリード４ｂに接続しているリードワイヤ（図示しない。）を被覆して一端側３０ａの端面から引き出している。リードワイヤは、回路基板２９の点灯回路５に接続されている。
【００７３】
発光ダイオード４は、図中、２個が図示されているが、残りの１個は、２個の発光ダイオード４の図中背面側に配設されている。発光ダイオード４は、砲弾形であって、３個が直列接続されている。そして、点灯回路５により点灯され、可視光を放射する。
【００７４】
各発光ダイオード４は、その先端部４ａがバルブ６ａ，６ｂ，６ｃ，６ｄの頂部６ａ２，６ｂ２，６ｃ２，６ｄ２から外方に突出しないように、柱状体３０の他端側３０ｂの端面からの各リード４ｂの突出長を適宜の大きさにしている。リード４ｂは、内部ワイヤを介して発光ダイオード４の電極に接続されている。
【００７５】
そして、基体２７の一端側２７ａに、蛍光ランプ２および発光ダイオード４を内包するようにして透光性のグローブ３１が取り付けられている。グローブ３１は、透明または光拡散性を有するガラスや合成樹脂などにより、白熱電球などのガラス球の形状に近い滑らかな曲面状に形成され、一端側３１ａが基体２７の一端側２７ａの内面に接着材により固着されている。
【００７６】
電球形蛍光ランプ２５は、点灯回路５により蛍光ランプ２６および発光ダイオード４がそれぞれ個別に点灯される。そして、蛍光ランプ２６からの放射光は、グローブ３１を透過して、グローブ３１の略全域の外面から外部に出射される。また、発光ダイオード４からの放射光は、指向性を有しているので、グローブ３１の頂部３１ｂ側の外面から外方に出射される。発光ダイオード４は、３個であるので、照射空間や照射面を明るく照明する。
【００７７】
そして、発光ダイオード４は、バルブ６ａ，６ｂ，６ｃ，６ｄにより包囲された中心に位置し、かつ、ほぼ柱状体３０のホルダー２８の底面部２８ｂからの突出長分、蛍光ランプ２６のフィラメント電極（図示しない。）と離間しているので、蛍光ランプ２６が消灯した直後であっても、各バルブ６ａ，６ｂ，６ｃ，６ｄやフィラメント電極からの熱影響が小さくなる。したがって、蛍光ランプ２６を消灯した直後に発光ダイオード４を点灯させても、発光ダイオード４の温度上昇が低減される。
【００７８】
また、発光ダイオード４の先端部４ａは、グローブ３１の頂部３１ｂ側に近いので、発光ダイオード４の点灯により発光ダイオード４に発生した熱は、先端部４ａおよびグローブ３１の内部空間を伝熱してグローブ３１に伝熱し、グローブ３１から外気に放熱される。したがって、発光ダイオード４は、グローブ３１に内包されていても、寿命が大きく損なわれるものではなく、少なくとも蛍光ランプ２６が寿命となるまでは、点灯させることができる。
【００７９】
次に、本発明の第５の実施形態について説明する。
【００８０】
図６は、本発明の第５の実施形態を示す電球形蛍光ランプの一部切り欠き概略正面図である。なお、図５と同一部分には同一符号を付して説明は省略する。
【００８１】
図６に示す電球形蛍光ランプ３２は、図５に示す電球形蛍光ランプ２５において、発光ダイオード４の先端部４ａがバルブ６ａ，６ｂ，６ｃ，６ｄの頂部６ａ２，６ｂ２，６ｃ２，６ｄ２よりも外方に突出され、グローブ３１の頂部３１ｂ側の内面に近くなっている。そして、発光ダイオード４は、柱状体３０の他端側３０ｂの端面から延在する発光ダイオード４のリード４ｂの長さを大きくすることにより突出されている。
【００８２】
発光ダイオード４は、上記によりバルブ６ａ，６ｂ，６ｃ，６ｄの屈曲部６ａ１，６ｂ１，６ｃ１，６ｄ１から離間するようになるので、先端部４ａがバルブ６ａ，６ｂ，６ｃ，６ｄの頂部６ａ２，６ｂ２，６ｃ２，６ｄ２から突出していないときよりも、バルブ６ａ，６ｂ，６ｃ，６ｄの放射熱の入射による温度上昇が低減される。また、発光ダイオード４の先端部４ａがグローブ３１に近づくので、点灯により発光ダイオード４に発生した熱は、先端部４ａがバルブ６ａ，６ｂ，６ｃ，６ｄの頂部６ａ２，６ｂ２，６ｃ２，６ｄ２から突出していないときよりもグローブ３１に伝熱しやすくなり、発光ダイオード４の温度上昇が抑制される。すなわち、発光ダイオード４は、先端部４ａがバルブ６ａ，６ｂ，６ｃ，６ｄの頂部６ａ２，６ｂ２，６ｃ２，６ｄ２から突出していないときよりも、電極を覆う合成樹脂の劣化などが発生しにくくなり、長寿命化される。
【００８３】
そして、発光ダイオード４の先端部４ａがグローブ３１に近づくことにより、発光ダイオード４の指向性を有する放射光がグローブ３１の頂部３１ｂの部分から出射され、このグローブ３１の部分の輝度が発光ダイオード４の前記突出していないときよりも高くなる。ここで、発光ダイオード４の先端部４ａがグローブ３１に接触すると、グローブ３１の内面が傷つくおそれがあるので、先端部４ａとグローブ３１の内面を２〜５ｍｍ離間させると好適である。
【００８４】
また、発光ダイオード４の先端部４ａの前記突出において、柱状体３０をホルダー２８からさらに延在させずに発光ダイオード４のリード４ｂの長さを大きくしているので、バルブ６ａ，６ｂ，６ｃ，６ｄの屈曲部６ａ１，６ｂ１，６ｃ１，６ｄ１付近から放射された放射光（可視光）は、発光ダイオード４およびそのリード４ｂにより遮られるが、柱状体３０により遮られなくなる。したがって、当該放射光の多くがグローブ３１を介して外方に出射されるので、蛍光ランプ２６による照明がより明るく行える。
【００８５】
次に、本発明の第６の実施形態について説明する。
【００８６】
図７および図８は、本発明の第６の実施形態を示し、図７は電球形蛍光ランプのグローブを透視した一部切り欠き概略正面図、図８は他の電球形蛍光ランプのグローブを透視した一部切り欠き概略正面図である。なお、図１と同一部分および同一部分に相当する部分には同一符号を付して説明は省略する。
【００８７】
図７に示す電球形蛍光ランプ３３は、基体３の基体本体部１４の下端側に蛍光ランプ２および発光ダイオード４を内包するようにして透光性のグローブ３４が取り付けられている。発光ダイオード４の先端部４ａは、バルブ６ａ，６ｂ，６ｃの頂部６ａ２，７ａ２，７ｃ２の位置よりも外方に突出させていない。そして、発光ダイオード４の先端部４ａは、グローブ３４の内面３４ａに設けられた熱伝導性材料３５に接触している。
【００８８】
グローブ３４の内面３４ａに粘性を有する熱伝導性材料３５を滴下し、グローブ３４を基体３の基体本体部１４の下端側に取り付ける。このとき、発光ダイオード４の先端部４ａが熱伝導性材料３５に接触する。そして、熱伝導性材料３５が固化するにしたがい、発光ダイオード４の先端側４ａがグローブ３４の内面３４ａに熱伝導性材料３５により固着される。
【００８９】
熱伝導性材料３５は、例えば透明のシリコーン材であり、グローブ３４は、例えば透明あるいは光拡散性を有する乳白色などであって、ガラスあるいは合成樹脂により形成されている。
【００９０】
電球形蛍光ランプ３３は、点灯回路５により蛍光ランプ２および発光ダイオード４がそれぞれ個別に点灯される。そして、蛍光ランプ２および発光ダイオード４からの放射光は、グロープ３４を透過して、または、熱伝導性材料３５およびグローブ３４を透過して外方に放射される。
【００９１】
そして、発光ダイオード４が点灯すると、発光ダイオード４に熱が発生する。この熱は、熱伝導性材料３５に伝熱され、さらに熱伝導性材料３５からグローブ３４に伝熱して、グローブ３４から放熱される。熱伝導性材料３５を具備していない状態では、発光ダイオード４に発生した熱がグローブ３４の内部空間を伝熱するのに時間を要し、グローブ３４から外気に放熱されにくい。しかし、熱伝導性材料３５を具備することにより、発光ダイオード４からの熱を有効に放熱させることができる。
【００９２】
このように、グローブ３４と発光ダイオード４の間に熱伝導性材料３５が介在していると、発光ダイオード４に発生した熱は、熱伝導性材料３５を介して迅速にグローブ３４に伝熱されて外気に放熱される。この結果、発光ダイオード４の温度上昇が低減され、熱伝導性材料３５を具備していないときよりも、発光ダイオード４は、より高効率化および長寿命化される。そして、発光ダイオード４は、少なくとも蛍光ランプ２が寿命となって電球形蛍光ランプ３３が新品に交換されるまで使用（点灯）することができる。
【００９３】
また、図８に示す電球形蛍光ランプ３６は、図７に示す電球形蛍光ランプ３３において、発光ダイオード４の先端部４ａがバルブ６ａ，６ｂ，６ｃの頂部６ａ２，７ａ２，７ｃ２から突出しているものである。当該突出により、グローブ３４の内面３４ａに設けられた熱伝導性材料３５の滴下量を少なくすることができるとともに、発光ダイオード４の温度上昇をさらに低減することができる。
【００９４】
次に、本発明の第７の実施形態について説明する。
【００９５】
図９および図１０は、本発明の第７の実施形態を示し、図９は電球形蛍光ランプのグローブを透視した一部切り欠き概略正面図、図１０は他の電球形蛍光ランプのグローブを透視した一部切り欠き概略正面図である。なお、図１および図７と同一部分および同一部分に相当する部分には同一符号を付して説明は省略する。
【００９６】
図９に示す電球形蛍光ランプ３７は、基体３８の下端側に箱状に形成されたホルダー３９が取り付けられている。このホルダー３９の下面３９ａにヘリカル状に屈曲されたバルブ４０を有してなる蛍光ランプ４１が支持されている。また、発光ダイオード４を支持している柱状体２０がバルブ４０に包囲されるようにしてホルダー３９の下面３９ａに取り付けられている。発光ダイオード４は、バルブ４０の頂部４０ａから外方に突出していない。
【００９７】
また、一般照明用電球のガラス球と近似している透光性のグローブ４２が蛍光ランプ４１および発光ダイオード４を内包するようにして基体３８の下端側に取り付けられている。グローブ４２の頂部４２ｂ側の内面４２ａには、熱伝導性材料３５が設けられている。熱伝導性材料３５は、発光ダイオード４の先端側４ａに接触し、発光ダイオード４の先端側４ａをグローブ４２の内面４２ａに固着している。
【００９８】
電球形蛍光ランプ３７のその他は、図１に示す電球形蛍光ランプ１とほぼ同様に形成されている。
【００９９】
電球形蛍光ランプ３７は、バルブ４０のホルダー３９からの突出長が図７に示す電球形蛍光ランプ３３のバルブ６ａ，６ｂ，６ｃの基体３からの突出長とほぼ同等であると、蛍光ランプ４１の放電路長が蛍光ランプ２の放電路長よりも大きい。したがって、蛍光ランプ４１から放射される可視光の光量が多くなり、電球形蛍光ランプ３７は、通常時、電球形蛍光ランプ３３よりも照明エリアを明るく照明することができる。
【０１００】
そして、発光ダイオード４からの放射光は、バルブ４１に遮られにくく、グローブ４２、または、熱伝導性材料３５およびグローブ４２を透過して外部空間に出射される。
【０１０１】
また、図１０に示す電球形蛍光ランプ４３は、図９に示す電球形蛍光ランプ３７において、発光ダイオード４の先端部４ａがバルブ４０の頂部４０ａから突出しているものである。当該突出により、グローブ４２の内面４２ａに設けられた熱伝導性材料３５の滴下量を少なくすることができるとともに、発光ダイオード４の温度上昇をさらに低減することができる。
【０１０２】
なお、図９に示す電球形蛍光ランプ３７および図１０に示す電球形蛍光ランプ４３において、ヘリカル状のバルブ４０で包囲される空間に、柱状体２０に並んで別の柱状体をホルダー３９に取り付けることにより、発光ダイオード４を２個配設するようにしてもよい。また、電球形蛍光ランプ３７，４３からグローブ４２を取り外し、ヘリカル状のバルブ４０が外部に露出する電球形蛍光ランプとすることができる。
【０１０３】
また、電球形蛍光ランプ３７，４３は、それぞれ熱伝導性材料３５を具備しなくても、蛍光ランプ２，４１が寿命となるまで、発光ダイオード４を点灯可能である。
【０１０４】
次に、本発明の第８の実施形態について説明する。
【０１０５】
図１１および図１２は、本発明の第８の実施形態を示し、図１１は照明器具の一部切り欠き正面図、図１２は他の照明器具の一部切り欠き正面図である。なお、図１０と同一部分には同一符号を付して説明は省略する。
【０１０６】
図１１に示す照明器具４４は、天井４５に吊り下げられる吊下げ形照明器具であり、外形が有底の円筒状である器具本体４６に電球形蛍光ランプ４３の口金１６が取り付けられる電球用ソケット４７が配設されている。器具本体４７は、先端に引掛シーリングキャップ４８を有する電源コード４９を接続している。
【０１０７】
そして、引掛シーリングキャップ４８は、天井４５に配設されている引掛シーリングボディ５０に取り付けられている。これにより、電源コード４９等を介して電球用ソケット４７に外部電源が供給される。引掛シーリングキャップ４８および引掛シーリングボディ５０は、シーリングカバー５１により覆われている。そして、電球形蛍光ランプ４３は、電球用ソケット４７に装着されている。
【０１０８】
電球形蛍光ランプ４３は、図示しない壁スイッチのオンオフ操作に応じて蛍光ランプ４１または発光ダイオード４が点灯される。例えば、通常時、蛍光ランプ４１が点灯され、就寝中または不在中、発光ダイオード４が常夜灯または保安灯として点灯される。発光ダイオード４は、少なくとも蛍光ランプ４１の寿命期間に亘って、すなわち電球形蛍光ランプ４３が寿命となって新品に交換されるまで点灯させることができる。
【０１０９】
また、図１２に示す照明器具５２は、天井４５に埋設されるダウンライトであり、外形が有底の円筒状である器具本体５３に電球形蛍光ランプ４３が取り付けられる電球用ソケット５４が配設されている。器具本体５３は、器具本体５３と一体的に設けられているカバー体５５と板バネ５６，５６により、天井４５が挟持されて、天井４５に固定されている。そして、電球用ソケット５４には、電球形蛍光ランプ４３が取り付けられている。
【０１１０】
電球形蛍光ランプ４３の蛍光ランプ４１からの放射光は、直接光および器具本体５３の内面で反射された反射光となって、カバー体５５の開口５７から下面側に出射される。蛍光ランプ４１は、ヘリカル状のバルブ４０を有して形成されているので、明るく照明することができる。
【０１１１】
また、電球形蛍光ランプ４３の発光ダイオード４からの放射光は、主として直接的にカバー体５５の開口５７から下面側に出射される。発光ダイオード４からの放射光の光量は、蛍光ランプ４１よりも非常に小さいので、発光ダイオード４は、常夜灯または保安灯として使用される。
【図面の簡単な説明】
【０１１２】
【図１】本発明の第１の実施形態を示す電球形蛍光ランプの一部バルブを透視した一部切り欠き概略正面図。
【図２】同じく、蛍光ランプおよび発光ダイオードの位置関係図。
【図３】本発明の第２の実施形態を示す電球形蛍光ランプの一部バルブを透視した一部切り欠き概略正面図。
【図４】本発明の第３の実施形態を示す電球形蛍光ランプにおける蛍光ランプおよび発光ダイオードの位置関係図。
【図５】本発明の第４の実施形態を示す電球形蛍光ランプの一部切り欠き概略正面図。
【図６】本発明の第５の実施形態を示す電球形蛍光ランプの一部切り欠き概略正面図。
【図７】本発明の第６の実施形態を示す電球形蛍光ランプのグローブを透視した一部切り欠き概略正面図。
【図８】同じく、他の電球形蛍光ランプのグローブを透視した一部切り欠き概略正面図。
【図９】本発明の第７の実施形態を示す電球形蛍光ランプのグローブを透視した一部切り欠き概略正面図。
【図１０】同じく、他の電球形蛍光ランプのグローブを透視した一部切り欠き概略正面図。
【図１１】本発明の第８の実施形態を示す照明器具の一部切り欠き正面図。
【図１２】同じく、他の照明器具の一部切り欠き正面図。
【符号の説明】
【０１１３】
１，２２，２４，２５，３２，３３，３６，３７，４３…電球形蛍光ランプ
２，２６，４１…蛍光ランプ
３，２７，３８…基体
４…発光ダイオード
５…点灯回路
３１，３４，４２…グローブ
４４，５２…照明器具
４６，５３…照明器具本体
【図１】
2007165272.tif 000003
【図２】
2007165272.tif 000004
【図３】
2007165272.tif 000005
【図４】
2007165272.tif 000006
【図５】
2007165272.tif 000007
【図６】
2007165272.tif 000008
【図７】
2007165272.tif 000009
【図８】
2007165272.tif 000010
【図９】
2007165272.tif 000011
【図１０】
2007165272.tif 000012
【図１１】
2007165272.tif 000013
【図１２】
2007165272.tif 000014